(57)【要約】  本発明に係るファスナーストリンガー(4,44,64) は、左右一対のファスナーテープ(2,42,62) が、テープ主体部(2a,42a,62a)と、同テープ主体部(2a,42a,62a)の一側縁に配されたエレメント取付部(2b,42b,62b)とを有し、前記エレメント取付部(2b,42b,62b)にエレメント列(3,43,63) が取着され、前記ファスナーテープ(2,42,62) を構成する主要な構成糸条(11,12) に導電糸が用いられ、同ファスナーテープ(2,42,62) が電磁波をシールド可能な導電性を有している。また、一対の前記ファスナーテープ(2,42,62) は、前記エレメント列(3,43,63) が噛合したときに、相手側の前記ファスナーテープ(2,42,62) と互いに密着する導電性のテープ密着部(16,49,62c) を有しており、噛合状態にある前記エレメント列(3,43,63) は、前記テープ密着部(16,49,62c) の密着時に前記テープ密着部(16,49,62c) により覆われている。このようなファスナーストリンガー(4,44,64) であれば、噛合状態にあるエレメント列(3,43,63) から電磁波が漏れることを防ぎ、電磁波を確実に遮蔽することができる。
2010137111.tif 000002
【特許請求の範囲】
【請求項１】
左右一対のファスナーテープ(2,42,62) は、テープ主体部(2a,42a,62a)と、同テープ主体部(2a,42a,62a)の一側縁に配されたエレメント取付部(2b,42b,62b)とを有し、前記エレメント取付部(2b,42b,62b)にエレメント列(3,43,63) が取着され、前記ファスナーテープ(2,42,62) を構成する主要な構成糸条(11,12) に導電糸が用いられ、同ファスナーテープ(2,42,62) が電磁波をシールド可能な導電性を有するファスナーストリンガー(4,44,64) であって、
一対の前記ファスナーテープ(2,42,62) は、前記エレメント列(3,43,63) が噛合したときに、相手側の前記ファスナーテープ(2,42,62) と互いに密着する導電性のテープ密着部(16,49,62c) を有し
噛合状態にある前記エレメント列(3,43,63) は、前記テープ密着部(16,49,62c) の密着時に、少なくとも一方の前記ファスナーテープ(2,42,62) に配された前記テープ密着部(16,49,62c) により覆われてなる、
ことを特徴とするファスナーストリンガー。
【請求項２】
前記エレメント列(3,43)は、噛合頭部(6c,46a)と脚部(6a,46b,46c)とを有するファスナーエレメント(6,46)により形成され、同ファスナーエレメント(6,46)の前記脚部(6a,46b,46c)は、前記噛合頭部(6c,46a)を前記テープ主体部(2a,42a)側に向けた状態にて前記エレメント取付部(2b,42b)に取着され、
前記ファスナーテープ(2,42)は、前記エレメント取付部(2b,42b)が前記テープ主体部(2a,42a)側に折り返されるようにテープ幅方向にＵ字状に折り曲げられ、左右の前記噛合頭部(6c,46a)が前記テープ主体部(2a,42a)のＵ字状テープ折曲部(2d,42d)からテープ外方へ突出して配され、
前記テープ密着部(16,49) は、前記テープ主体部(2a,42a)のテープ幅方向にて、前記エレメント列(3,43)が噛合状態のときに左右の前記ファスナーテープ(2,42)が互いに密着する密着位置(15)から前記エレメント列(3,43)の脚部(6a,46b,46c)側の端縁に対応する位置に亘るテープ領域により構成されてなる、
請求項１記載のファスナーストリンガー。
【請求項３】
少なくとも前記エレメント取付部(2b,42b)を構成する構成糸条に、合成繊維又は天然繊維が含まれてなる請求項２記載のファスナーストリンガー。
【請求項４】
前記ファスナーテープ(2,42)は、平織組織からなる構造を有し、
前記エレメント取付部(2b,42b)に配される経糸に、ポリエステル繊維が用いられ、
前記ファスナーテープ(2,42)の緯糸と、前記テープ主体部(2a,42a)の少なくとも前記密着位置(15)から前記テープ主体部(2a,42a)の他側縁に亘って配される経糸とに、前記導電糸が用いられてなる、
請求項２記載のファスナーストリンガー。
【請求項５】
前記ファスナーエレメント(6) は、前記ファスナーテープ(2) に熱可塑性合成樹脂を射出成形することにより形成された単独ファスナーエレメント(6) である請求項２記載のファスナーストリンガー。
【請求項６】
前記ファスナーエレメント(46)は、モノフィラメントをコイル状又はジグザグ状に成形した連続ファスナーエレメント(46)である請求項２記載のファスナーストリンガー。
【請求項７】
前記エレメント列(43)が噛合状態のときに、前記テープ密着部(49)が離間する方向へ移動することを規制する規制部材(52)が前記エレメント取付部(42b) に取着されてなる請求項６記載のファスナーストリンガー。
【請求項８】
前記規制部材(52)は、複数の小片状の規制本体部(52a) を有し、同規制本体部(52a) は、前記ファスナーテープ(42)の長さ方向に間欠的に取着されてなる請求項７記載のファスナーストリンガー。
【請求項９】
前記エレメント列(63)は、噛合頭部(66a) と脚部(66b,66c) とを有するファスナーエレメントにより形成され、同ファスナーエレメントの前記脚部(66b,66c) は、前記噛合頭部(66a) を前記エレメント取付部(62b) からテープ外方に突出させた状態にて前記エレメント取付部(62b) に取着され、
前記テープ密着部(62c) は、前記ファスナーテープ(62)の前記テープ主体部(62a) から分岐して前記エレメント取付部(62b) 側に延設されたテープ延設部(62c) により構成されてなる、
請求項１記載のファスナーストリンガー。
【請求項１０】
少なくとも前記エレメント取付部(62b) を構成する構成糸条に、合成繊維又は天然繊維が含まれてなる請求項９記載のファスナーストリンガー。
【請求項１１】
前記ファスナーテープ(62)は、平織組織からなる構造を有し、
前記エレメント取付部(62b) に配される経糸に、ポリエステル繊維が用いられ、
前記ファスナーテープ(62)の緯糸と、前記テープ延設部(62c) 及び前記テープ主体部(62a) の少なくとも前記テープ延設部が分岐する分岐位置(62d) から前記テープ主体部(62a) の他側縁に亘って配される経糸とに、前記導電糸が用いられてなる、
請求項９記載のファスナーストリンガー。
【請求項１２】
左右の前記テープ密着部(62c) の対向する先端縁に、互いに吸着し合う磁石(65)が配されてなる請求項９記載のファスナーストリンガー。
【請求項１３】
左右の前記テープ密着部(62c) の対向する先端縁に、一対のレールファスナー(72)が配されてなる請求項９記載のファスナーストリンガー。
【請求項１４】
請求項１〜１３のいずれかに記載のファスナーストリンガー(4,44,64) にスライダー(5) が挿通されてなることを特徴とするスライドファスナー。
【請求項１５】
請求項１４記載のスライドファスナー(1,41,51,61,71) が取着されてなることを特徴とするファスナー被着物。
【請求項１６】
前記スライドファスナー(1,41,51,61,71) がラミネート溶着により取着されてなる請求項１５記載のファスナー被着物。
【発明の詳細な説明】
【技術分野】
【０００１】
本発明は、電磁波を遮蔽（シールド）することが可能なファスナーストリンガー、同ファスナーストリンガーを用いて構成されたスライドファスナー、及び、同スライドファスナーが取着されたファスナー被着物に関する。
【背景技術】
【０００２】
近年、情報通信機器やデジタル電子機器が普及しているものの、その一方で、これらの機器から放出される電磁波の問題が重視されてきている。例えば、通信機器等から放出された電磁波は様々な機器を誤作動させたり、故障させたりすることが知られている。【０００３】
また、ＯＡ機器などの情報機器からも電磁波が放射されているため、例えばこのような情報機器の電磁波を外部で受信することにより、個人情報や企業の機密事項などが盗み見られることもある。このように電磁波は様々な弊害を引き起こし、新たな環境問題となってきている。このため、様々な場面で電磁波対策を行うことが求められてきている。【０００４】
電磁波対策の１つとして、導電性の電磁波シールド体を用いて電磁波を遮蔽する電磁波シールド技術がある。また、このような電磁波シールド体の連結・分離や、電磁波シールド体に設けた開口部の開閉などを容易に行うためにスライドファスナーが用いられることがあり、この場合、同スライドファスナー自体も電磁波シールド機能を有することが望ましい。【０００５】
このような電磁波シールド機能を有するスライドファスナーとしては、例えば特公昭５６−３２９２１号公報（特許文献１）、実開昭５８−１６４２９０号公報（特許文献２）、特開平２−１７４２９７号公報（特許文献３）、及び特開２０００−７７８８１号公報（特許文献４）などに開示されているスライドファスナー又はファスナーチェーンが知られている。【０００６】
例えば、前記特許文献１には、電磁波シールド機能については直接的に説明されていないものの、図１３に示したように、金属製繊維からなるファスナーテープ８２に、金属製のファスナーエレメント８３又は合成樹脂製のコイル状ファスナーエレメントが取着されたスライドファスナー８１が記載されている。【０００７】
このような特許文献１のスライドファスナー８１であれば、金属製繊維からなるファスナーテープ８２によって電磁波を遮蔽することができる。更に、金属製のファスナーエレメント８３が取着されている場合は、同ファスナーエレメント８３によっても電磁波を遮蔽することができる。【０００８】
前記特許文献２に記載されているファスナーチェーンでは、針金で編成された遮蔽部材が袋状に折り返され、その遮蔽部材の中空部に芯材が設けられている。また、遮蔽部材の一方の折返し部と芯材の側縁部とにより芯紐部が形成されており、この芯紐部に金属製のファスナーエレメントが遮蔽部材と電気的に接続した状態で固着されている。【０００９】
このような特許文献２のファスナーチェーンであっても、ファスナーテープによって電磁波を遮蔽することが可能である。また、特許文献２によれば、当該ファスナーチェーンは、柔軟性を有するとともに、各ファスナーエレメントが、大きな取付強度をもって一定のピッチでファスナーテープに取り付けられているとしている。【００１０】
前記特許文献３に記載されているファスナーチェーンは、合成繊維又は天然繊維製のファスナーテープに、導電性の金属又は合金を無電解メッキにより被着させ、その後、同ファスナーテープに導電性を有するファスナーエレメントを取着することにより構成されている。【００１１】
特に、特許文献３では、ファスナーテープが、ニッケルメッキ、銅メッキ、及びニッケルメッキの３層状のメッキ層で被覆されている。また、導電性を有するファスナーエレメントとしては、丹銅、アルミ、ニッケル、銅等の金属製ファスナーエレメント、又は、合成樹脂製のファスナーエレメントに金属メッキが施されたものが用いられている。【００１２】
このような特許文献３のファスナーチェーンであれば、電磁波シールド性に優れており、また、柔軟性にも優れている。特に、ファスナーテープのメッキ層を、ニッケルメッキ、銅メッキ、及びニッケルメッキの３層状に形成することにより、電磁波シールド性や柔軟性だけでなく、耐触性やメッキ層のファスナーテープへの密着性にも優れたファスナーチェーンが得られる。【００１３】
前記特許文献４に記載されているスライドファスナー９１は、図１４に示したように、導電性ファスナーテープ９２と、ステンレス鋼やニッケル鋼などの金属からなら導電性ファスナーエレメント９３によって構成されている。この場合、導電性ファスナーテープ９２は、絶縁性のプラスチックシートの表面に、ポリエステル繊維等にニッケルメッキ等を行った導電性繊維を貼り合わせて形成されている。【００１４】
また、導電性ファスナーエレメント９３は、頭部と、首部と、脚部とを有しており、脚部が導電性ファスナーテープに食い込むことによって、導電性ファスナーエレメント９３と導電性ファスナーテープ９２とが電気的に接続している。このような特許文献４のスライドファスナー９１もまた電磁波シールド機能を有しており、また、長期の使用に対する信頼性に優れている。
【先行技術文献】
【特許文献】
【００１５】
【特許文献１】特公昭５６−３２９２１号公報
【特許文献２】実開昭５８−１６４２９０号公報
【特許文献３】特開平２−１７４２９７号公報
【特許文献４】特開２０００−７７８８１号公報
【発明の概要】
【発明が解決しようとする課題】
【００１６】
特許文献１〜特許文献４に記載されている従来のスライドファスナーやファスナーチェーンでは、左右のファスナーエレメントが噛合し、スライドファスナー又はファスナーチェーンが閉鎖している状態のときに、導電性を有するファスナーテープ及び導電性を有するファスナーエレメントによって電磁波が遮蔽される。【００１７】
しかしながら、このような従来のスライドファスナーやファスナーチェーンでは、左右のファスナーエレメントを噛合させた状態のときに、左右のファスナーエレメントの間や、テープ長さ方向にて互いに隣接するファスナーエレメントの間にて小さな隙間が数多く形成されている。【００１８】
このため、従来のスライドファスナーやファスナーチェーンでは、電磁波シールド機能を得るためにファスナーテープ及びファスナーエレメントが導電性を有していても、噛合状態のエレメント列に形成される数多くの隙間を介して電磁波が漏れてしまうという問題があった。このため、電磁波をより確実に遮蔽することが可能なスライドファスナーを開発することが求められていた。【００１９】
本発明は上記従来の課題に鑑みてなされたものであって、その具体的な目的は、噛合状態にあるエレメント列から電磁波が漏れることを防ぎ、電磁波を確実に遮蔽することが可能なファスナーストリンガー、及び同ファスナーストリンガーを用いて構成されたスライドファスナーを提供することにある。
【課題を解決するための手段】
【００２０】
上記目的を達成するために、本発明により提供されるファスナーストリンガーは、基本的な構成として、左右一対のファスナーテープは、テープ主体部と、同テープ主体部の一側縁に配されたエレメント取付部とを有し、前記エレメント取付部にエレメント列が取着され、前記ファスナーテープを構成する主要な構成糸条に導電糸が用いられ、同ファスナーテープが電磁波をシールド可能な導電性を有するファスナーストリンガーであって、一対の前記ファスナーテープは、前記エレメント列が噛合したときに、相手側の前記ファスナーテープと互いに密着する導電性のテープ密着部を有し噛合状態にある前記エレメント列は、前記テープ密着部の密着時に、少なくとも一方の前記ファスナーテープに配された前記テープ密着部により覆われてなることを最も主要な特徴とするものである。【００２１】
本発明に係るファスナーストリンガーにおいて、前記エレメント列は、噛合頭部と脚部とを有するファスナーエレメントにより形成され、同ファスナーエレメントの前記脚部は、前記噛合頭部を前記テープ主体部側に向けた状態にて前記エレメント取付部に取着され、前記ファスナーテープは、前記エレメント取付部が前記テープ主体部側に折り返されるようにテープ幅方向にＵ字状に折り曲げられ、左右の前記噛合頭部が前記テープ主体部のＵ字状テープ折曲部からテープ外方へ突出して配され、前記テープ密着部は、前記テープ主体部のテープ幅方向にて、前記エレメント列が噛合状態のときに左右の前記ファスナーテープが互いに密着する密着位置から前記エレメント列の脚部側の端縁に対応する位置に亘るテープ領域により構成されていることが好ましい。【００２２】
この場合、少なくとも前記エレメント取付部を構成する構成糸条に、合成繊維又は天然繊維が含まれていることが好ましい。
特に、前記ファスナーテープは、平織組織からなる構造を有し、前記エレメント取付部に配される経糸に、ポリエステル繊維が用いられ、前記ファスナーテープの緯糸と、前記テープ主体部の少なくとも前記密着位置から前記テープ主体部の他側縁に亘って配される経糸とに、前記導電糸が用いられていることが好ましい。【００２３】
更に、前記ファスナーエレメントは、前記ファスナーテープに熱可塑性合成樹脂を射出成形することにより形成された単独ファスナーエレメントであることが好ましい。【００２４】
また、前記ファスナーエレメントは、モノフィラメントをコイル状又はジグザグ状に成形した連続ファスナーエレメントであっても良い。
この場合、前記エレメント列が噛合状態のときに、前記テープ密着部が離間する方向へ移動することを規制する規制部材が前記エレメント取付部に取着されていることが好ましい。特に、前記規制部材は、複数の小片状の規制本体部を有し、同規制本体部は、前記ファスナーテープの長さ方向に間欠的に取着されていることが好ましい。【００２５】
また、本発明に係るファスナーストリンガーにおいて、前記エレメント列は、噛合頭部と脚部とを有するファスナーエレメントにより形成され、同ファスナーエレメントの前記脚部は、前記噛合頭部を前記エレメント取付部からテープ外方に突出させた状態にて前記エレメント取付部に取着され、前記テープ密着部は、前記ファスナーテープの前記テープ主体部から分岐して前記エレメント取付部側に延設されたテープ延設部により構成されていても良い。【００２６】
この場合、少なくとも前記エレメント取付部を構成する構成糸条に、合成繊維又は天然繊維が含まれていることが好ましい。
特に、前記ファスナーテープは、平織組織からなる構造を有し、前記エレメント取付部に配される経糸に、ポリエステル繊維が用いられ、前記ファスナーテープの緯糸と、前記テープ延設部及び前記テープ主体部の少なくとも前記テープ延設部が分岐する分岐位置から前記テープ主体部の他側縁に亘って配される経糸とに、前記導電糸が用いられていることが好ましい。【００２７】
更に、左右の前記テープ密着部の対向する先端縁に、互いに吸着し合う磁石が配されていること、又は、左右の前記テープ密着部の対向する側縁部に一対のレールファスナーが配されていることが好ましい。【００２８】
また、本発明によれば、前述の構成を有するファスナーストリンガーにスライダーが挿通されているスライドファスナーが提供される。
更に、本発明によれば、前記スライドファスナーが取着されているファスナー被着物が提供される。この場合、前記スライドファスナーがラミネート溶着により取着されていることが好ましい。
【発明の効果】
【００２９】
本発明に係るファスナーストリンガーは、導電性を備えた左右のファスナーテープのエレメント取付部にエレメント列が取着されている。また、左右一対のファスナーテープは、エレメント列が噛合したときに、相手側のファスナーテープと互いに密着する導電性のテープ密着部を有しており、噛合状態にあるエレメント列は、テープ密着部の密着時に、少なくとも一方のファスナーテープに配されたテープ密着部により覆われている。【００３０】
このような本発明のファスナーストリンガーであれば、噛合状態にあるエレメント列が、相手側のファスナーテープに密着する導電性を備えたテープ密着部で覆われるため、噛合している左右のファスナーエレメントの間や、テープ長さ方向にて互いに隣接するファスナーエレメント同士の間に小さな隙間が形成されていても、そのエレメント列を覆っている導電性を備えたテープ密着部によって電磁波を確実に遮蔽することができる。【００３１】
このような本発明に係るファスナーストリンガーにおいて、前記エレメント列は、噛合頭部と脚部とを有するファスナーエレメントにより形成され、同ファスナーエレメントの前記脚部は、前記噛合頭部を前記テープ主体部側に向けた状態にて前記エレメント取付部に取着されている。【００３２】
また、前記ファスナーテープは、エレメント取付部がテープ主体部側に折り返されるようにテープ幅方向にＵ字状に折り曲げられ、左右の噛合頭部がテープ主体部のＵ字状テープ折曲部からテープ外方へ突出して配されている。更に、前記テープ密着部は、テープ主体部のテープ幅方向にて、エレメント列が噛合状態のときに左右のファスナーテープが互いに密着する密着位置からエレメント列の脚部側の端縁に対応する位置に亘るテープ領域により構成されている。【００３３】
即ち、本発明に係るファスナーストリンガーは、所謂、隠しスライドファスナー用のファスナーストリンガーとして構成されている場合に、前記テープ密着部が、ファスナーテープのテープ密着位置からエレメント列の脚部側の端縁に対応する位置に亘るテープ領域により構成されている。これにより、左右のファスナーテープのテープ密着部によって、噛合状態にあるエレメント列を確実に覆うことができ、且つ、同テープ密着部同士を安定して密着させることができる。【００３４】
また、本発明に係るファスナーストリンガーにおいて、少なくとも前記エレメント取付部を構成する構成糸条に合成繊維又は天然繊維が含まれている。これにより、ファスナーテープを構成する主要な構成糸条に導電糸が用いられていても、エレメント取付部にファスナーエレメントを安定して取着することができる。【００３５】
特にこの場合、ファスナーテープは平織組織からなる構造を有しており、エレメント取付部に配される経糸に、ポリエステル繊維が用いられている。また、ファスナーテープの緯糸と、テープ主体部の少なくとも前記密着位置から前記テープ主体部の他側縁に亘って配される経糸とに、導電糸が用いられている。これにより、ファスナーテープのテープ密着部を含むテープ主体部によって電磁波を確実に遮蔽できるとともに、エレメント取付部にファスナーエレメントを安定して取着できる。【００３６】
本発明において、前記ファスナーエレメントに、ファスナーテープに熱可塑性合成樹脂を射出成形することにより形成された単独ファスナーエレメント、又は、モノフィラメントをコイル状又はジグザグ状に成形した連続ファスナーエレメントを用いることができる。これにより、隠しスライドファスナー用のファスナーストリンガーを容易に形成でき、電磁波の遮蔽も確実に行うことができる。【００３７】
また本発明では、前記ファスナーエレメントに連続ファスナーエレメントを用いた場合、エレメント列が噛合状態のときに、テープ密着部が離間する方向へ移動することを規制する規制部材がエレメント取付部に取着されている。これにより、例えば左右のエレメント列が噛合している状態にて、左右のファスナーテープが横引き力を受けてテープ幅方向の外側に向けて引っ張られても、エレメント列を覆って密着状態にあるテープ密着部の状態を維持できるため、同テープ密着部によって電磁波を安定して遮蔽することができる。【００３８】
特にこの場合、前記規制部材が複数の小片状の規制本体部を有し、同規制本体部がファスナーテープの長さ方向に間欠的に取着されている。これにより、例えばファスナーテープに規制部材を縫着しても、ファスナーストリンガーの可撓性を容易に確保することができる。従って、本発明のファスナーストリンガーを用いて隠しスライドファスナーを構成したときに、スライダーを円滑に摺動させることができ、スライドファスナーの開閉操作を安定して行うことが可能となる。【００３９】
また、本発明に係るファスナーストリンガーにおいて、エレメント列は、噛合頭部と脚部とを有する複数のファスナーエレメントにより形成されており、同ファスナーエレメントの脚部は、噛合頭部をエレメント取付部からテープ外方に突出させた状態にてエレメント取付部に取着されていても良い。この場合、テープ密着部は、ファスナーテープのテープ主体部から分岐してエレメント取付部側に延設されたテープ延設部により構成されている。【００４０】
即ち、本発明に係るファスナーストリンガーは、通常のスライドファスナー用のファスナーストリンガーとして構成されている場合に、前記テープ密着部が、ファスナーテープのテープ主体部から分岐してエレメント取付部側に延設されたテープ延設部により構成されている。これによっても、ファスナーテープのテープ密着部によって、噛合状態にあるエレメント列を確実に覆うことができ、且つ、同テープ密着部同士を安定して密着させることができる。【００４１】
またこの場合に、少なくとも前記エレメント取付部を構成する構成糸条に合成繊維又は天然繊維が含まれていることにより、ファスナーテープを構成する主要な構成糸条に導電糸が用いられていても、エレメント取付部にファスナーエレメントを安定して取着することができる。【００４２】
特に、ファスナーテープは平織組織からなる構造を有しており、エレメント取付部に配される経糸に、ポリエステル繊維が用いられている。また、ファスナーテープの緯糸と、テープ延設部及びテープ主体部の少なくともテープ延設部が分岐する分岐位置からテープ主体部の他側縁に亘って配される経糸とに、導電糸が用いられている。これにより、ファスナーテープのテープ主体部とテープ延設部とによって電磁波を確実に遮蔽できるとともに、エレメント取付部にファスナーエレメントを安定して取着できる。【００４３】
更にこの場合、左右の前記テープ密着部の対向する先端縁に、互いに吸着し合う磁石、又は、一対のレールファスナーが配されている。これにより、左右のテープ密着部を容易に密着させることができるとともに、テープ密着部の密着状態を安定して維持することができる。従って、例えば左右のエレメント列を噛合させた状態でファスナーストリンガーを湾曲させても、左右のテープ密着部同士が離れることを防いで、電磁波をより安定して遮蔽することができる。【００４４】
また、本発明によれば、上述のファスナーストリンガーにスライダーが挿通されて構成されたスライドファスナーが提供され、更に、同スライドファスナーが取着されたファスナー被着物が提供される。このような本発明に係るスライドファスナー及びファスナー被着物は、左右のエレメント列間から電磁波が漏れることを防止して、電磁波を確実に遮蔽することができる。【００４５】
更に、このようなファスナー被着物において、スライドファスナーはラミネート溶着によって被着物に取着されている。例えばスライドファスナーが被着物に縫製により取着されている場合、スライドファスナーのファスナーテープや被着物自体にミシン孔が形成され、同ミシン孔から電磁波が漏れる虞がある。しかしながら、スライドファスナーが被着物にラミネート溶着によって取着されていれば、ファスナーテープや被着物にミシン孔は形成されないため、電磁波の遮蔽を確実に行うことができる。
【図面の簡単な説明】
【００４６】
【図１】図１は、本発明の実施例１に係るスライドファスナーを示す正面図である。
【図２】図２は、図１に示したＩＩ−ＩＩ線断面図である。
【図３】図３は、同スライドファスナーにおけるファスナーテープの織構造を模式的に示す部分斜視図である。
【図４】図４は、同スライドファスナーに用いられるファスナーエレメントを示す斜視図である。
【図５】図５は、同スライドファスナーを取着したテントを示す斜視図である。
【図６】図６は、同スライドファスナーを取着したコード類保持具を示す斜視図である。
【図７】図７は、本発明の実施例２に係るスライドファスナーを示す断面図である。
【図８】図８は、本発明の実施例３に係るスライドファスナーを示す正面図である。
【図９】図９は、図８に示したＩＸ−ＩＸ線断面図である。
【図１０】図１０は、同スライドファスナーに用いられる規制部材を示す斜視図である。
【図１１】図１１は、本発明の実施例４に係るスライドファスナーを示す断面図である。
【図１２】図１２は、本発明の実施例５に係るスライドファスナーを示す断面図である。
【図１３】図１３は、導電性のファスナーテープ及びファスナーエレメントを有する従来のスライドファスナーを示す正面図である。
【図１４】図１４は、導電性のファスナーテープ及びファスナーエレメントを有する従来のスライドファスナーを示す正面図である。
【発明を実施するための形態】
【００４７】
以下、本発明の実施の形態について、実施例を挙げて、図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。
【実施例１】
【００４８】
図１は、本発明の実施例１に係るスライドファスナーを示す正面図であり、図２は、図１に示したＩＩ−ＩＩ線断面図である。また、図３は、同スライドファスナーにおけるファスナーテープの織構造を模式的に示す部分斜視図であり、図４は、同スライドファスナーに用いられるファスナーエレメントを示す斜視図である。【００４９】
なお、本実施例１及び後述する実施例２〜実施例５では、ファスナーテープのテープ長さ方向を前後方向とし、テープ幅方向を左右方向とし、その前後方向と左右方向に直交する方向（又はテープ表裏方向）を上下方向として、各スライドファスナーの説明を行うこととする。【００５０】
本実施例１のスライドファスナー１は、所謂、隠しスライドファスナーとして構成されており、ファスナーテープ２にエレメント列３が取着された左右一対のファスナーストリンガー４と、同ファスナーストリンガー４のエレメント列３に挿通されるスライダー５とを有している。また、左右の各ファスナーストリンガー４は、それぞれ、ファスナーテープ２と、同ファスナーテープ２に取着され、エレメント列３を形成する複数のファスナーエレメント６とを有している。【００５１】
本実施例１における左右のファスナーテープ２は、テープ主体部２ａと、同テープ主体部２ａの一側縁に配されたエレメント取付部２ｂとをそれぞれ有しており、各エレメント取付部２ｂの対向するテープ側縁には芯紐部２ｃが形成されている。なお、ここで、エレメント取付部２ｂとは、ファスナーエレメント６が固着されるテープ領域を指している。【００５２】
また、同ファスナーテープ２におけるテープ主体部２ａのテープ領域と、エレメント取付部２ｂの芯紐部２ｃ以外のテープ領域には、図３に示したように、経糸１１と緯糸１２とが１本ごとに交互に交差した平織組織からなる構造を有している。更に、エレメント取付部２ｂの芯紐部２ｃには、芯紐部２ｃを形成する芯紐用経糸１３が、エレメント取付部２ｂを挟んでテープ表面側とテープ裏面側とに２本ずつ配されている。【００５３】
この場合、エレメント取付部２ｂに配される経糸１１には、ポリエステル系のマルチフィラメント（ポリエステル繊維）が用いられている。特に、エレメント取付部２ｂの芯紐部２ｃ以外のテープ領域に配されるポリエステル繊維は、３８０デシテックスの太さを有しており、芯紐用経糸１３となるポリエステル繊維は、５００デシテックスの太さを有している。【００５４】
この場合、テープ主体部２ａのテープ領域に配される経糸１１と、テープ主体部２ａ及びエレメント取付部２ｂに緯挿入される緯糸１２とには、導電糸が用いられている。この導電糸は、ポリエステル繊維に銅製のマルチフィラメント（銅線）を巻き付けることによって構成されており、３８０デシテックスの太さを有している。【００５５】
なお、本実施例１のファスナーテープ２では、スライドファスナー１を構成して左右のエレメント列３を噛合させたときに、少なくとも左右のファスナーテープ２が密着する密着位置１５からテープ主体部２ａの他側縁に亘るテープ領域に導電糸が配されていれば良く、テープ主体部２ａにおける密着位置１５からエレメント取付部２ｂ側の端縁までのテープ領域には、導電糸の代わりに合成繊維又は天然繊維を配置することも可能である。なお、ここで言う密着位置１５とは、図２に示したように左右のファスナーテープ２が密着している状態のときに、左右のファスナーテープ２が密着している部分のうちの最もファスナー外表面側（上面側）の位置を指している。【００５６】
このファスナーテープ２のエレメント取付部２ｂには、図４に示されている複数の合成樹脂製の単独ファスナーエレメント６が固着されて、エレメント列３が形成されている。単独ファスナーエレメント６は、エレメント取付部２ｂにポリアセタール等の合成樹脂材料を所定の形状に射出成形することにより形成されている。本実施例１の場合、エレメント取付部２ｂの経糸１１には、前述のようにポリエステル繊維が用いられている。【００５７】
ここで、例えばエレメント取付部２ｂの経糸１１に、ポリエステル繊維ではなく導電糸を用いてファスナーテープ２を形成した場合について想定する。例えば、エレメント取付部２ｂの経糸１１に導電糸を用いた場合、同エレメント取付部２ｂにファスナーエレメント６を射出成形する際に、以下のような問題が生じる虞があった。【００５８】
即ち、エレメント成形用の上型及び下型を用いて射出成形する際には、ファスナーテープ２のエレメント取付部２ｂが上型及び下型によって挟持されるが、このとき、エレメント取付部２ｂが型閉めされる上型及び下型で押圧されることによって、同エレメント取付部２ｂに用いた導電糸の断面形状が扁平状に塑性変形する。その結果、例えばファスナーテープ２の各ファスナーエレメント６間に配されているテープ部分がテープ長さ方向に延びてしまい、ファスナーエレメント６のピッチ間隔を変化させる虞があったり、また、エレメント取付部２ｂが波打った状態となって、スライダー５の摺動性を低下させる虞があった。【００５９】
一方、エレメント取付部２ｂに配された導電糸の塑性変形を防ぐために、上型及び下型によってエレメント取付部２ｂを挟持する際に上型及び下型の押圧力を小さくしてしまうと、上下型間のキャビティ内に射出した溶融樹脂がパーティングラインから漏れてしまい、ファスナーエレメント６を所定の形状に成形することができなくなる虞があった。【００６０】
これに対して、本実施例１のようにエレメント取付部２ｂの経糸１１にポリエステル繊維を用いることによって、エレメント取付部２ｂにファスナーエレメント６を射出成形する際に、上型及び下型を十分に型閉めすることによって溶融樹脂の漏れを防ぐことができる。また、上型及び下型の型閉めによりエレメント取付部２ｂが押圧されて、経糸１１として配されたポリエステル繊維の断面形状が扁平状になったとしても、射出成形後に上型及び下型を開くと、ポリエステル繊維の弾性変形によりその断面形状を元に戻すことができる。【００６１】
従って、本実施例１のスライドファスナー１では、エレメント取付部２ｂにファスナーエレメント６を所定の形状に安定して成形することができ、また、ファスナーエレメント６のピッチ間隔の変化や、スライダー５の摺動性の低下を招くこともない。しかも、エレメント取付部２ｂの経糸１１にポリエステル繊維が用いられることによって、ファスナーエレメント６を射出成形した際に、溶融樹脂がポリエステル繊維間に容易に入り込むため、ファスナーエレメント６の固着強度を高めることができる。【００６２】
本実施例１において、射出成形された単独ファスナーエレメント６は、図４に示したように、エレメント取付部２ｂを挟持する脚部６ａと、脚部６ａの一端からテープ主体部２ａ側に向けて延設され、前後方向に括れた形状を有する首部６ｂと、同首部６ｂの先端から更にテープ主体部２ａ側に延設された膨大状の噛合頭部６ｃと、同噛合頭部６ｃと脚部６ａの一端部とを連結する三角錐状の補強部６ｄとを有している。また、同単独ファスナーエレメント６における脚部６ａの他端部には、テープ長さ方向に膨出する膨出部６ｅを有しており、同脚部６ａの他端部側の先端面が、一端部側の先端面よりも広く形成されている。【００６３】
更に、各単独ファスナーエレメント６は、その噛合頭部６ｃをファスナーテープ２のテープ主体部２ａ側に向けた状態で、脚部６ａをエレメント取付部２ｂに固着するようにして射出成形されている。このため、ファスナーテープ２は、単独ファスナーエレメント６が射出成形された後に、エレメント取付部２ｂがテープ主体部２ａ側に折り返されるようにテープ幅方向にＵ字状に折り曲げられることによって、単独ファスナーエレメント６の噛合頭部６ｃをテープ主体部２ａのＵ字状テープ折曲部２ｄからテープ外方へ突出させている。【００６４】
本実施例１における前記スライダー５は、従来の隠しスライドファスナーにおいて一般的に使用されているスライダーと同様のものである。即ち、本実施例１のスライダー５は、左右の側縁に逆Ｌ字断面の第１フランジが立設された下翼板と、同下翼板の前端部に立設された案内柱と、同案内柱の上面側周縁部から延設された第２フランジと、同第２フランジの上面にスライダー摺動方向に延在する門型の引手取付柱と、同引手取付柱に回動自在に取着された引手とを有している。また、下翼板と第１フランジとに囲まれるようにエレメント案内路が形成されている。【００６５】
このような構成を有する本実施例１のスライドファスナー１は、左右のエレメント列３を噛合させてスライドファスナー１を閉鎖したときに、図２に示したように、左右のファスナーテープ２のＵ字状テープ折曲部２ｄ同士が密着し、噛合状態にある左右のエレメント列３がスライドファスナー１の外表面側（図２の上面側）から見えないように隠蔽される。【００６６】
このとき、ファスナーテープ２のテープ主体部２ａにおいて、左右のファスナーテープ２の密着位置１５からエレメント列３の脚部６ａ側の端縁に対応する位置に亘るテープ領域によってテープ密着部１６が形成されており、このテープ密着部１６が、相手側のファスナーテープ２と密着するとともに、エレメント列３を被覆している。更に、そのテープ密着部１６を含むテープ主体部２ａ全体が、経糸１１と緯糸１２とに導電糸を用いた平織組織で構成されている。【００６７】
即ち、スライドファスナー１を閉鎖したときに、噛合している左右のファスナーエレメント６の間や、テープ長さ方向にて互いに隣接するファスナーエレメント６の間に小さな隙間が形成されていても、エレメント列３の上面側に左右のファスナーテープ２の導電性を有するテープ主体部２ａ同士が密着状態で配されるため、例えば図２において電磁波がスライドファスナー１の上方から下方に向けて（又は、下方から上方に向けて）流れようとする場合に、その電磁波を、ファスナーテープ２のテープ主体部２ａによって確実に遮蔽することができる。【００６８】
このような本実施例１のスライドファスナー１は、電磁波を遮蔽することが求められる製品、具体的には、図５に示したようなテント２１の開閉部や、実験室等で電磁波を遮蔽するシールドゲージの開閉部、及び、図６に示したようなコード類保持具（シールドチューブ）３１の連結部などに好適に使用される。【００６９】
例えば図５に示したテント２１は、導電性を有するテント本体部２２と、同テント本体部２２に開閉可能に配され、導電性を有する入口カバー部２３とを備えている。また、入口カバー部２３の一側縁はテント本体部２２に一体に連結されており、同入口カバー部２３のその他の側縁部とテント本体部２２とには、本実施例１のスライドファスナー１が取着されている。【００７０】
この場合、本実施例１のスライドファスナー１は、入口カバー部２３にラミネート溶着によって取着されている。例えばスライドファスナー１を縫製により取着する場合、スライドファスナー１のファスナーテープ２や入口カバー部２３に、電磁波を漏洩させるミシン孔が形成されるが、上述のようにラミネート溶着をもってスライドファスナー１を取着することによって、ファスナーテープ２や入口カバー部２３にミシン孔を形成することなく、スライドファスナー１を入口カバー部２３に安定して取着することができる。【００７１】
このような本実施例１のスライドファスナー１が取着されたテント２１であれば、入口カバー部２３を容易に開閉できるだけでなく、スライドファスナー１によって入口カバー部２３を閉鎖したときに、テント外部からテント内部に向けて電磁波が侵入することを防止でき、また、テント内部からテント外部に向けて電磁波が漏洩することも防止できる。従って、例えばテント２１内にて情報通信機器やデジタル電子機器等を使用する場合において、これらの機器がテント外部から電磁波を受けて誤作動を起こすことを防止でき、また、これらの機器から発生する電磁波がテント外部にて盗聴されることも確実に防止できる。【００７２】
一方、図６に示したコード類保持具３１は、複数のワイヤーやコード等のコード類３２を保持するように円筒状に形成されており、コード類３２を包み込むための導電性を有する保持具本体３１ａを有している。また、この保持具本体３１ａには、その長手方向に沿って切れ目が設けられており、その切れ目に沿って本実施例１のスライドファスナー１のファスナーエレメント６が取着されている。言い換えると、保持具本体３１ａは、同スライドファスナー１におけるファスナーテープ２によって構成されており、同ファスナーテープ２の左右のテープ主体部２ａは、その一側縁にファスナーエレメント６が取着されたエレメント取付部２ｂを備えるとともに、左右のテープ主体部２ａの他側縁が互いに連結されて、コード類３２を包み込んでいる。また、同スライドファスナー１では、左右のエレメント列３を噛合させたときに、同エレメント列３は保持具内側に配されている。このようなコード類保持具３１であれば、その内部にコード類３２を保持した状態でスライドファスナー１を閉鎖することにより、コード類３２から発生する電磁波を確実に遮蔽でき、電磁波が外部に漏れることを防止できる。【００７３】
なお、本実施例１のスライドファスナー１では、エレメント列３が合成樹脂製の複数の単独ファスナーエレメント６により形成されているが、本発明はこれに限定されず、ファスナーテープ２のエレメント取付部２ｂに、モノフィラメントをコイル状若しくはジグザグ状に成形した連続ファスナーエレメントを縫着することによって、又は、金属製のファスナーエレメントを取着することによって、エレメント列３を構成することも可能である。
【実施例２】
【００７４】
図７は、本発明の実施例２に係るスライドファスナーを示す断面図である。なお、本実施例２、及び、後述する実施例３〜５において、既述の実施例にて説明した部材と同様の構成を有するものについては、同じ符号を用いて表すことによってその説明を省略することとする。【００７５】
本実施例２のスライドファスナー４１は、隠しスライドファスナーとして構成されており、ファスナーテープ４２にエレメント列４３が取着された左右一対のファスナーストリンガー４４と、同ファスナーストリンガー４４のエレメント列４３に挿通される図示しないスライダーとを有している。また、左右の各ファスナーストリンガー４４は、それぞれ、ファスナーテープ４２と、同ファスナーテープ４２に取着され、エレメント列４３を形成するコイル状の連続ファスナーエレメント４６とを有している。【００７６】
本実施例２における左右のファスナーテープ４２は、それぞれ、テープ主体部４２ａと、同テープ主体部４２ａの一側縁に配されたエレメント取付部４２ｂとを有している。また、同ファスナーテープ４２は、経糸と緯糸とが１本ごとに交互に交差した平織組織からなる構造を有している。【００７７】
この場合、エレメント取付部４２ｂに配される経糸には、３８０デシテックスの太さを有するポリエステル繊維が用いられている。また、テープ主体部４２ａに配される経糸と、ファスナーテープ４２に緯挿入される緯糸とには、３８０デシテックスの太さを有する導電糸が用いられている。なお、このファスナーテープ４２には、前記実施例１におけるファスナーテープ２のような芯紐部２ｃは設けられていない。【００７８】
前記連続ファスナーエレメント４６は、ポリアミド又はポリエステルのモノフィラメントをコイル状に成形することにより形成されており、噛合頭部４６ａと、同噛合頭部４６ａから延設された上下脚部４６ｂ，４６ｃと、その上脚部４６ｂ（又は下脚部４６ｃ）の端部を、隣接するファスナーエレメント４６の下脚部４６ｃ（又は上脚部４６ｂ）と連結する反転部４６ｄとを有している。【００７９】
この連続ファスナーエレメント４６は、上下脚部４６ｂ，４６ｃ間に芯紐４７を挿通させた状態で、ファスナーテープ４２のエレメント取付部４２ｂに、縫製糸４８の二重環縫によって縫着されている。この場合、エレメント取付部４２ｂに配される経糸には、上述のようにポリエステル繊維が用いられている。このため、ミシン針を用いて連続ファスナーエレメント４６をエレメント取付部４２ｂに縫製する際に、ミシン針をエレメント取付部４２ｂに円滑に刺通でき、連続ファスナーエレメント４６の縫着を安定して行うことができる。
本実施例２における前記スライダーには、前記実施例１のスライダーと実質的に同様のものが使用される。【００８０】
このような構成を有する本実施例２のスライドファスナー４１は、左右のエレメント列４３を噛合させてスライドファスナー４１を閉鎖したときに、左右のファスナーテープ４２のテープ折曲部４２ｄ同士が密着するため、噛合状態にある左右のエレメント列４３がスライドファスナー４１の外表面側から見えないように隠蔽されている。【００８１】
このとき、前記実施例１と同様に、ファスナーテープ４２のテープ主体部４２ａにおいて、左右のファスナーテープ４２の密着位置１５からエレメント列４３の上下脚部４６ｂ，４６ｃ側の端縁に対応する位置に亘るテープ領域によってテープ密着部４９が形成されており、このテープ密着部４９を含むテープ主体部４２ａ全体が、経糸１１と緯糸１２とに導電糸を用いた平織組織で構成されている。【００８２】
即ち、スライドファスナー４１を閉鎖したときに、噛合状態にある左右のエレメント列４３の上面側に、左右のファスナーテープ４２の導電性を有するテープ主体部４２ａが密着状態で配されるため、スライドファスナー４１の上方から下方に向けて（又は、下方から上方に向けて）流れる電磁波をテープ主体部４２ａによって確実に遮蔽することができる。このため、本実施例２のスライドファスナー４１も、図５に示したテント２１等のような、電磁波を遮蔽することが求められる製品に好適に使用される。
【実施例３】
【００８３】
図８は、本発明の実施例３に係るスライドファスナーを示す正面図であり、図９は、図８に示したＩＸ−ＩＸ線断面図である。また、図１０は、同スライドファスナーに用いられる規制部材を示す斜視図である。【００８４】
本実施例３のスライドファスナー５１は、Ｕ字状に折り曲げられたファスナーテープ４２のエレメント取付部４２ｂの内面（エレメント取付部４２ｂの連続ファスナーエレメント４６が縫着されているテープ面とは反対側のテープ面）に、連続ファスナーエレメント４６とともに、縫製糸４８の二重環縫いによって縫着された規制部材５２を備えており、この規制部材５２を有すること以外の構成については前述の実施例２と実質的に同じである。【００８５】
本実施例３の規制部材５２は、図１０に示したように、薄肉の小片状に形成され、正面視にて矩形状を呈する複数の規制本体部５２ａと、同規制本体部５２ａをテープ長さ方向に連結する連結部５２ｂとを有している。前記連結部５２ｂは一定の幅寸法を有するフィルム状に形成されており、同連結部５２ｂには、小片状の規制本体部５２ａがテープ長さ方向に所定の間隔をもって一体成形されている。このため、各規制本体部５２ａは、連結部５２ｂを介してひとつながりに連結されて規制部材５２を構成している。【００８６】
この場合、小片状の規制本体部５２ａとフィルム状の連結部５２ｂとは二色成形により形成されている。また、規制本体部５２ａは、ポリアミド、ポリアセタール、ポリプロピレン、ポリブチレンテレフタレートなどの硬質の合成樹脂を用いて成形され、連結部５２ｂは、例えばポリウレタン、シリコーンゴム、熱可塑性エラストマーなどの規制本体部５２ａよりも軟質の合成樹脂を用いて成形されている。【００８７】
また、ファスナーテープ４２のエレメント取付部４２ｂに縫着された規制部材５２の規制本体部５２ａは、エレメント取付部４２ｂの連続ファスナーエレメント４６が縫着されるテープ面とは反対側のテープ面であって、左右のエレメント列４３が噛合したときに、同規制部材５２の一側縁が、ファスナーテープ４２のテープ折曲部４２ｄにおける内側テープ面に当接する位置に配されている。【００８８】
このような規制部材５２を有する本実施例３のスライドファスナー５１は、前記実施例１や前記実施例２と同様に、同スライドファスナー５１を閉鎖したときに、噛合状態にある左右のエレメント列４３の上面側に、左右のファスナーテープ４２のテープ主体部４２ａが密着状態で配される。このため、同スライドファスナー５１のテープ主体部４２ａによって、スライドファスナー５１の上方から下方に向けて（又は、下方から上方に向けて）流れる電磁波を確実に遮蔽することができる。【００８９】
また、本実施例３のスライドファスナー５１は規制部材５２を有しているため、左右のエレメント列４３を噛合させたときに、左右のテープ折曲部４２ｄ同士を確実に密着させるとともに、規制部材５２がテープ折曲部４２ｄを押さえて、左右のファスナーテープ４２の密着状態を安定して保持することができる。【００９０】
その上、同スライドファスナー５１は、例えば左右のエレメント列４３が噛合している状態にて、左右のファスナーテープ４２が横引き力を受けてテープ幅方向に沿って外側に引っ張られた場合に、規制部材５２によって、左右のＵ字状テープ折曲部４２ｄが互いに離間する方向へ移動することを規制して、左右のテープ折曲部４２ｄの位置が変動することを防止している。これにより、本実施例３のスライドファスナー５１は、左右のエレメント列４３が噛合している状態で横引き力を受けても、左右のファスナーテープ４２が密着している状態を安定して保持でき、電磁波の遮蔽をより確実に行うことができる。【００９１】
更に、本実施例３のスライドファスナー５１では、硬質の規制本体部５２ａがテープ長さ方向に間欠的に配されており、これらの規制本体部５２ａを連結する連結する連結部５２ｂが軟質樹脂により形成されている。このため、規制部材５２がエレメント取付部４２ｂに縫着されていても、同エレメント取付部４２ｂの可撓性（屈曲性）を確保することができる。従って、スライダーを摺動させてスライドファスナー５１を開閉する際に、ファスナーテープ４２のエレメント取付部４２ｂを容易に撓ませながらスライダーを円滑に摺動させて、スライドファスナー５１の開閉操作を容易に行うことができる。【００９２】
なお、前述の実施例２のスライドファスナー４１及び本実施例３のスライドファスナー５１では、エレメント列４３がコイル状の連続ファスナーエレメント４６により形成されているが、本発明はこれに限定されず、ファスナーテープ４２のエレメント取付部４２ｂに、合成樹脂製の単独ファスナーエレメントを射出成形することによって、又は、金属製のファスナーエレメントを取着することによって、エレメント列を構成することも可能である。
【実施例４】
【００９３】
図１１は、本発明の実施例４に係るスライドファスナーを示す断面図である。
本実施例４のスライドファスナー６１は、ファスナーテープ６２にエレメント列６３が取着された左右一対のファスナーストリンガー６４と、同ファスナーストリンガー６４のエレメント列６３に挿通される図示しないスライダーとを有している。また、左右の各ファスナーストリンガー６４は、それぞれ、ファスナーテープ６２と、同ファスナーテープ６２に取着され、エレメント列６３を形成するコイル状の連続ファスナーエレメント６６とを有している。【００９４】
本実施例４における左右のファスナーテープ６２は、テープ主体部６２ａと、同テープ主体部６２ａの一側縁に配されたエレメント取付部６２ｂと、テープ主体部６２ａから分岐して延設され、テープ密着部として機能するテープ延設部６２ｃとを有している。また、左右のテープ延設部６２ｃの互いに対向する先端部は袋状に形成されており、その袋状の先端部内には、ネオジウムやフェライトなどからなる磁石６５が取り付けられている。【００９５】
このファスナーテープ６２は、経糸と緯糸とが１本ごとに交互に交差した平織組織からなる構造を有している。この場合、エレメント取付部６２ｂに配される経糸には、３８０デシテックスの太さを有するポリエステル繊維が用いられている。また、テープ主体部６２ａ及びテープ延設部６２ｃに配される経糸と、ファスナーテープ６２に緯挿入される緯糸とには、３８０デシテックスの太さを有する導電糸が用いられている。【００９６】
なお、本実施例４のファスナーテープ６２では、少なくともテープ延設部６２ｃと、そのテープ延設部６２ｃが分岐する分岐位置６２ｄからテープ主体部６２ａの他側縁に亘るテープ領域に導電糸が配されていれば良く、テープ主体部６２ａにおける分岐位置６２ｄからエレメント取付部６２ｂ側の端縁までのテープ領域には、導電糸の代わりに合成繊維又は天然繊維を配置することも可能である。【００９７】
前記連続ファスナーエレメント６６は、ポリアミド又はポリエステルのモノフィラメントをコイル状に成形することにより形成されており、噛合頭部６６ａと、同噛合頭部６６ａから延設された上下脚部６６ｂ，６６ｃと、その上脚部６６ｂ（又は下脚部６６ｃ）の端部を、隣接するファスナーエレメント６６の下脚部６６ｃ（又は上脚部６６ｂ）と連結する反転部６６ｄとを有している。【００９８】
この連続ファスナーエレメント６６は、上下脚部６６ｂ，６６ｃ間に芯紐６７を挿通させた状態で、ファスナーテープ６２のエレメント取付部６２ｂに、縫製糸６８の二重環縫によって縫着されている。この場合、エレメント取付部６２ｂに配される経糸には、上述のようにポリエステル繊維が用いられている。このため、ミシン針を用いて連続ファスナーエレメント６６をエレメント取付部６２ｂに縫着する際に、ミシン針をエレメント取付部６２ｂに円滑に刺通でき、連続ファスナーエレメント６６の縫着を安定して行うことができる。
本実施例４の図示しないスライダーには、従来の通常のスライドファスナー６１において使用されている一般的なスライダーと同様のものが用いられる。【００９９】
以上のような本実施例４のスライドファスナー６１は、左右のエレメント列６３を噛合させてスライドファスナー６１を閉鎖したときに、左右のテープ延設部６２ｃが噛合状態にある左右のエレメント列６３を被覆するとともに、各テープ延設部６２ｃの先端部に配した磁石６５が互いに吸着して、テープ延設部６２ｃ同士が密着する。【０１００】
即ち、本実施例４のスライドファスナー６１は、左右のエレメント列６３を噛合したときに、導電性を有する左右のテープ延設部６２ｃが互いに密着した状態でエレメント列６３の上面側に配される。従って、電磁波が本実施例４のスライドファスナー６１の上方から下方に向けて（又は、下方から上方に向けて）流れようとする場合に、その電磁波を、ファスナーテープ６２のテープ延設部６２ｃと、テープ主体部６２ａにおける分岐位置６２ｄから他側縁に亘るテープ領域とによって、確実に遮蔽することができる。このため、本実施例４のスライドファスナー６１も、図５に示したテント等のような、電磁波を遮蔽することが求められる製品に好適に使用される。
【実施例５】
【０１０１】
図１２は、本発明の実施例５に係るスライドファスナーを示す断面図である。
本実施例５のスライドファスナー７１は、テープ延設部６２ｃの先端部に、磁石６５の代わりにレールファスナー７２が取着されていること以外の構成については、前述の実施例４のスライドファスナー６１と実質的に同じである。【０１０２】
本実施例５において用いられるレールファスナー７２は、右側のテープ延設部６２ｃに固着される雄部材７２ａと、左側のテープ延設部６２ｃに固着され、雄部材７２ａを嵌脱可能な雌部材７２ｂと、雄部材７２ａ及び雌部材７２ｂに沿って摺動可能に配され、雄部材７２ａと雌部材７２ｂとを嵌脱させる図示しないスライダーとを有している。【０１０３】
この場合、雄部材７２ａ及び雌部材７２ｂは、トリアセチレン、ポリピロール、ポリチオフェン、又はポリアニリン等のような導電性を有する合成樹脂を所定の形状に射出成形することにより形成されている。一方、スライダーの材質は特に限定されないが、例えば雄部材７２ａ及び雌部材７２ｂと同じ材質の合成樹脂や、ポリオレフィンやポリ塩化ビニル等の合成樹脂を用いることができる。なお、このレールファスナー７２の具体的な形態は特に限定されるものではなく、左右のテープ延設部６２ｃの先端部同士を密着させるように雄部材７２ａを雌部材７２ｂに嵌着させることが可能であれば、種々の形態のレールファスナー７２を使用することができる。【０１０４】
このようなレールファスナー７２を有する本実施例５のスライドファスナー７１は、左右のエレメント列６３を噛合させてスライドファスナー７１を閉鎖し、更に、レールファスナー７２の雄部材７２ａを雌部材７２ｂに嵌着させる。これによって、左右のテープ延設部６２ｃが噛合状態にある左右のエレメント列６３を被覆するとともに、左右のテープ延設部６２ｃを、導電性を有するレールファスナー７２を介してしっかりと密着させることができるため、前述の実施例４のスライドファスナー６１と同様に、電磁波の遮蔽を確実に行うことができる。【０１０５】
なお、前述の実施例４及び本実施例５では、エレメント列６３がコイル状の連続ファスナーエレメント６６により形成されているスライドファスナー６１，７１について説明しているが、本発明はこれに限定されず、例えばファスナーテープ６２のエレメント取付部６２ｂに、合成樹脂製の単独ファスナーエレメント６６を射出成形することによって、又は、金属製のファスナーエレメント６６を取着することによって、エレメント列６３を構成することも可能である。【０１０６】
また、実施例４及び実施例５のスライドファスナー６１，７１では、左右のテープ延設部６２ｃが同じ長さで形成されている。しかし本発明では、例えばスライドファスナー６１，７１の用途等に応じて、テープ延設部によって噛合状態にある左右のエレメント列６３を被覆し、且つ、同テープ延設部が相手側のファスナーテープ６２に密着することが可能であれば、各テープ延設部６２ｃの長さを任意に変更することが可能である。更には、テープ延設部６２ｃを一方のファスナーテープ６２のみに形成し、そのテープ延設部６２ｃを、相手側のファスナーテープの導電性を有する部分（例えばテープ主体部）に直接密着させるようにしてスライドファスナーを構成することも可能である。【０１０７】
更に、実施例１〜実施例５の各スライドファスナーでは、エレメント取付部を構成する経糸にポリエステル繊維が用いられているが、本発明はこれに限定されず、例えば単独ファスナーエレメントの成形性や接着性、又は、連続ファスナーエレメントを縫着する際の作業性などについて影響がなければ、エレメント取付部の経糸にも導電糸を用いることが可能である。
【符号の説明】
【０１０８】
１                スライドファスナー
２                ファスナーテープ
２ａ              テープ主体部
２ｂ              エレメント取付部
２ｃ              芯紐部
２ｄ              テープ折曲部
３                エレメント列
４                ファスナーストリンガー
５                スライダー
６                ファスナーエレメント
６ａ              脚部
６ｂ              首部
６ｃ              噛合頭部
６ｄ              補強部
６ｅ              膨出部
１１                経糸
１２                緯糸
１３                芯紐用経糸
１５                密着位置
１６                テープ密着部
２１                テント
２２                テント本体部
２３                入口カバー部
３１                コード類保持具
３１ａ              保持具本体
３２                コード類
４１                スライドファスナー
４２                ファスナーテープ
４２ａ              テープ主体部
４２ｂ              エレメント取付部
４２ｄ              テープ折曲部
４３                エレメント列
４４                ファスナーストリンガー
４６                ファスナーエレメント
４６ａ              噛合頭部
４６ｂ              上脚部
４６ｃ              下脚部
４６ｄ              反転部
４７                芯紐
４８                縫製糸
４９                テープ密着部
５１                スライドファスナー
５２                規制部材
５２ａ              規制本体部
５２ｂ              連結部
６１                スライドファスナー
６２                ファスナーテープ
６２ａ              テープ主体部
６２ｂ              エレメント取付部
６２ｃ              テープ延設部
６２ｄ              分岐位置
６３                エレメント列
６４                ファスナーストリンガー
６５                磁石
６６                ファスナーエレメント
６６ａ              噛合頭部
６６ｂ              上脚部
６６ｃ              下脚部
６６ｄ              反転部
６７                芯紐
６８                縫製糸
７１                スライドファスナー
７２                レールファスナー
７２ａ              雄部材
７２ｂ              雌部材
【図１】
2010137111.tif 000003
【図２】
2010137111.tif 000004
【図３】
2010137111.tif 000005
【図４】
2010137111.tif 000006
【図５】
2010137111.tif 000007
【図６】
2010137111.tif 000008
【図７】
2010137111.tif 000009
【図８】
2010137111.tif 000010
【図９】
2010137111.tif 000011
【図１０】
2010137111.tif 000012
【図１１】
2010137111.tif 000013
【図１２】
2010137111.tif 000014
【図１３】
2010137111.tif 000015
【図１４】
2010137111.tif 000016
【国際調査報告】
2010137111.tif 000017
2010137111.tif 000018
2010137111.tif 000019
2010137111.tif 000020